(57)【特許請求の範囲】
【請求項１】
画像形成装置であって、
記録用紙を収容可能な複数の用紙カセットと、
原稿を読み取って得られた画像データを入力する入力手段と、
前記入力手段で入力される画像データに基づいて記録用紙上に画像を形成する画像形成手段と、
前記画像形成装置において選択可能な用紙サイズが一種類か否かを判定する判定手段と、
前記判定手段によって、選択可能な用紙サイズが一種類であると判定された場合、指定された用紙サイズに一致するように前記画像データを自動的に変倍する自動変倍機能を、ユーザの操作なしに自動的に前記画像形成装置に設定する設定手段と、
を有することを特徴とする画像形成装置。
【請求項２】
前記原稿のサイズを検知する検知手段を更に有し、
前記設定手段は、前記画像形成装置の初期設定として前記検知手段で検知されたサイズに一致するサイズの用紙を前記複数の用紙カセットから自動的に選択する自動用紙選択機能が設定されている状態から、前記自動変倍機能が設定されている状態に切り替えることを特徴とする請求項１記載の画像形成装置。
【請求項３】
前記設定手段によって前記画像形成装置の初期設定が前記自動用紙選択機能から前記自動変倍機能に切り替えられた際に、ユーザによる前記自動用紙選択機能の選択を禁止する制御手段を更に有することを特徴とする請求項２に記載の画像形成装置。
【請求項４】
画像形成装置であって、
記録用紙を収容可能な複数の用紙カセットと、
原稿を読み取って得られた画像データを入力する入力手段と、
前記原稿のサイズを検知する検知手段と、
前記入力手段で入力される画像データに基づいて記録用紙上に画像を形成する画像形成手段と、
前記画像形成装置において選択可能な用紙サイズが一種類か否かを判定する判定手段と、
前記判定手段によって、選択可能な用紙サイズが複数種類であると判定された場合、前記検知手段で検知されたサイズに一致するサイズの記録用紙を前記複数の用紙カセットから自動的に選択する自動用紙選択機能を、ユーザの操作なしに自動的に前記画像形成装置に設定する設定手段と、
を有することを特徴とする画像形成装置。
【請求項５】
前記設定手段は、前記画像形成装置の初期設定として指定された用紙サイズに一致するように前記画像データを自動的に変倍する自動変倍機能が設定されている状態から、前記自動用紙選択機能が設定されている状態に切り替えることを特徴とする請求項４記載の画像形成装置。
【請求項６】
画像形成装置であって、
記録用紙を収容可能な複数の用紙カセットと、
原稿を読み取って得られた画像データを入力する入力手段と、
前記原稿のサイズを検知する検知手段と、
前記入力手段で入力される画像データに基づいて記録用紙上に画像を形成する画像形成手段と、
前記画像形成装置において選択可能な用紙サイズが一種類か否かを判定する判定手段と、
前記判定手段によって、選択可能な用紙サイズが一種類であると判定された場合、指定された用紙サイズに一致するように前記画像データを自動的に変倍する自動変倍機能を、ユーザの操作なしに自動的に前記画像形成装置に設定し、前記判定手段によって、選択可能な用紙サイズが複数種類であると判定された場合、前記検知手段で検知されたサイズに一致するサイズの記録用紙を前記複数の用紙カセットから自動的に選択する自動用紙選択機能を、ユーザの操作なしに自動的に前記画像形成装置に設定する設定手段と、
を有することを特徴とする画像形成装置。
【請求項７】
前記設定手段は、前記画像形成装置の初期設定として、前記自動用紙選択機能または前記自動変倍機能を設定することを特徴とする請求項６記載の画像形成装置。
【請求項８】
前記自動用紙選択機能において選択される用紙の候補となる用紙カセットを前記複数の用紙カセットの中から登録する登録手段を更に有し、前記判定手段は、前記登録手段によって登録された用紙カセットに収容された用紙のサイズが一種類か複数種類かを判定することを特徴とする請求項１乃至７の何れか一項に記載の画像形成装置。
【請求項９】
記録用紙を収容可能な複数の用紙カセットを有する画像形成装置の制御方法であって、
原稿を読み取って得られた画像データを入力する入力ステップと、
前記入力ステップで入力される画像データに基づいて記録用紙上に画像を形成する画像形成ステップと、
前記画像形成装置において選択可能な用紙サイズが一種類か否かを判定する判定ステップと、
前記判定ステップによって、選択可能な用紙サイズが一種類であると判定された場合、指定された用紙サイズに一致するように前記画像データを自動的に変倍する自動変倍機能を、ユーザの操作なしに自動的に前記画像形成装置に設定する設定ステップと、
を有することを特徴とする画像形成装置の制御方法。
【請求項１０】
記録用紙を収容可能な複数の用紙カセットを有する画像形成装置の制御方法であって、
原稿を読み取って得られた画像データを入力する入力ステップと、
前記原稿のサイズを検知する検知ステップと、
前記入力ステップで入力される画像データに基づいて記録用紙上に画像を形成する画像形成ステップと、
前記画像形成装置において選択可能な用紙サイズが一種類か否かを判定する判定ステップと、
前記判定ステップによって、選択可能な用紙サイズが複数種類であると判定された場合、前記検知ステップで検知されたサイズに一致するサイズの記録用紙を前記複数の用紙カセットから自動的に選択する自動用紙選択機能を、ユーザの操作なしに自動的に前記画像形成装置に設定する設定ステップと、
を有することを特徴とする画像形成装置の制御方法。
【請求項１１】
記録用紙を収容可能な複数の用紙カセットを有する画像形成装置の制御方法であって、
原稿を読み取って得られた画像データを入力する入力ステップと、
前記原稿のサイズを検知する検知ステップと、
前記入力ステップで入力される画像データに基づいて記録用紙上に画像を形成する画像形成ステップと、
前記画像形成装置において選択可能な用紙サイズが一種類か否かを判定する判定ステップと、
前記判定ステップによって、選択可能な用紙サイズが一種類であると判定された場合、指定された用紙サイズに一致するように前記画像データを自動的に変倍する自動変倍機能を、ユーザの操作なしに自動的に前記画像形成装置に設定し、前記判定ステップによって、選択可能な用紙サイズが複数種類であると判定された場合、前記検知ステップで検知されたサイズに一致するサイズの記録用紙を前記複数の用紙カセットから自動的に選択する自動用紙選択機能を、ユーザの操作なしに自動的に前記画像形成装置に設定する設定ステップと、
を有することを特徴とする画像形成装置の制御方法。
【発明の詳細な説明】
【技術分野】
【０００１】
本発明は、自動用紙選択機能及び自動変倍機能を有する画像形成装置に関する。
【背景技術】
【０００２】
コピー機能を有する画像形成装置において、原稿サイズと複写倍率とに基づいて適正サイズの用紙を自動選択する自動用紙選択機能と、原稿サイズと選択された用紙サイズとに基づいて適正な複写倍率を自動的に設定する自動変倍機能を有するものが知られている。特許文献１には、自動用紙選択機能（以降ＡＰＳと呼ぶ）と自動変倍機能（以降ＡＭＳと呼ぶ）を備えた画像形成装置が記載されている。
【０００３】
通常、このような画像形成装置においては、電源が投入された際の初期状態（デフォルト状態）として、ＡＰＳかＡＭＳの何れかが設定されている場合が多い。この場合ユーザは、ＡＰＳとＡＭＳの何れを初期状態として設定するかを予め画像形成装置に登録しておく必要がある。
【０００４】
ここで、ＡＰＳとは、画像形成装置が備える複数のサイズの用紙の中から原稿の用紙サイズに一致するサイズの用紙を自動で選択する機能であるので、画像形成装置が一種類のサイズの用紙しか備えていない場合にはあまり意味をなさないことになる。このような場合にはむしろＡＭＳが有効である。限られたサイズの用紙に合わせた大きさに画像を変倍する必要が生じる可能性が高いからである。
【０００５】
しかし、従来の画像形成装置では、画像形成装置が一種類のサイズの用紙しか備えていないような場合であっても、デフォルトの設定として登録されている機能に従う。即ち、例えばＡＰＳを設定することが意味をなさない状況であっても、ＡＰＳが設定されている状態となる。そして、この場合には、ユーザが手入力で、ＡＰＳをＡＭＳへ変更する指示を入力していた。
【特許文献１】特開平７−２４０８３６
【発明の開示】
【発明が解決しようとする課題】
【０００６】
上述したように、従来の技術では、画像形成装置の状況（用紙サイズが一種類か複数種類か等）に応じたＡＰＳやＡＭＳの設定の変更は、ユーザがその都度手入力で行う必要があり、ユーザにとって負荷となっていた。
【０００７】
本発明はこのような問題に対してなされたものであり、画像形成装置の状態に応じてＡＰＳやＡＭＳ等の設定を自動的に行うことによって、ユーザ負荷を軽減させることを目的とする。
【課題を解決するための手段】
【０００８】
上記課題を解決するために、本発明における画像形成装置は、記録用紙を収容可能な複数の用紙カセットと、原稿を読み取って得られた画像データを入力する入力手段と、前記入力手段で入力される画像データに基づいて記録用紙上に画像を形成する画像形成手段と、前記画像形成装置において選択可能な用紙サイズが一種類か否かを判定する判定手段と、前記判定手段によって、選択可能な用紙サイズが一種類であると判定された場合、指定された用紙サイズに一致するように前記画像データを自動的に変倍する自動変倍機能を、ユーザの操作なしに自動的に前記画像形成装置に設定する設定手段とを有することを特徴とする。
【発明の効果】
【０００９】
本発明によれば、画像形成装置の状態に応じてＡＰＳやＡＭＳ等の設定を自動的に行うことができ、ユーザの負荷がより軽減される。
【発明を実施するための最良の形態】
【００１０】
（実施例１）
図１は、本発明における画像形成装置である複写機１００の外観を示す図である。複写機１００は画像入力デバイスであるスキャナ部１０１と画像形成デバイスであるプリンタ部１０２から構成されている。画像入力デバイスであるスキャナ部１０１は、原稿上に描かれた画像を照明し、ＣＣＤラインセンサ（図示せず）を走査することで、画像を読み取りラスターイメージデータとして電気信号に変換する。原稿用紙は原稿フィーダ１０３のトレイ１０４にセットされる。使用者が操作部１０５から読み取り起動指示すると、コントローラＣＰＵはスキャナ１０１に指示を与え、フィーダ１０３は原稿用紙を１枚ずつフィードし原稿画像の読み取り動作を行わせる。
【００１１】
画像形成デバイスであるプリンタ部１０２は、電気的なラスターイメージデータを記録用紙上の可視画像に変換する部分である。その方式は感光体ドラムや感光体ベルトを用いた電子写真方式、微少ノズルアレイからインクを吐出して用紙上に直接画像を印字するインクジェット方式等の何れを用いても構わない。プリント動作の起動は、コントローラＣＰＵからの指示によって開始する。プリンタ部には、異なる用紙サイズまたは異なる用紙向きを選択できるように複数の給紙段を持ち、それに対応した用紙カセット１０６，１０７，１０８，１０９がある。また、排紙トレイ１１０は印字し終わった用紙を受けるものである。
【００１２】
尚、図１では、画像形成装置の例として複写機をあげたが、画像形成装置としてはファクシミリ機能等を有する複合機等であっても構わない。また、図１の複写機１００は、複数の用紙カセットを有しているが、用紙カセットが一つしかない画像形成装置においても本発明は適用可能である。
【００１３】
図２は、本発明の実施形態にかかる複写機１００の内部構成を示すブロック図である。
【００１４】
Ｃｏｎｔｒｏｌｌｅｒ  Ｕｎｉｔ  ２００は画像入力デバイスであるスキャナ（原稿の画像を読み取る）や画像形成デバイスであるプリンタ（画像を可視記録し出力する）と接続され、画像情報等の入出力を行う為のコントローラである。尚、不図示のネットワークＩ／Ｆを介してＬＡＮや公衆回線（ＰＳＴＮまたはＩＳＤＮ）と接続することでネットワーク通信を可能としてもよい。
【００１５】
スキャナインタフェース（以下、「スキャナＩ／Ｆ」という。）部２０１には、アナログフロントエンド（ＡＦＥ）２０２を介して、ＣＣＤ２０３、ＣＩＳ２０４が接続される。これにより、個別の専用回路を介在することなく、その読み取りデータをＣｏｎｔｒｏｌｌｅｒ  Ｕｎｉｔ  ２００に取り込むことができる。
【００１６】
２０５はスキャナ画像処理部であり、スキャナＩ／Ｆ部２０１の処理によりメインメモリ２０６に展開された画像データに対して、画像処理動作モード（カラーコピー、モノクロコピー、カラースキャン、モノクロスキャン等）に応じた画像処理を実行する。
【００１７】
バッファ調停部２０７はスキャナＩ／Ｆ部２０１とスキャナ画像処理部間のデータの受け渡しをメインメモリ２０６上のリングバッファ領域を介して行う場合、データの書き込みと、読み出しを調停する。
【００１８】
プリンタ画像処理部２０８は、入力する画像の領域編集や、解像度変換を行い、得られた画像データをプリンタ出力するための処理ユニットである。２０９は接続するレーザビームプリンタ（ＬＢＰ）２１０に画像処理結果を出力するためのプリンタインタフェース（Ｉ／Ｆ）である。
【００１９】
バッファ調停部２１１はプリンタ画像処理部２０８とプリンタインタフェース２０９間のデータの受け渡しをメインメモリ２０６上のリングバッファ領域を介して行う場合、データの書き込みと、読み出しを調停する。バッファ調停部２０７，２１１は基本構成は同一のブロックであるが、使用する用途により、制御方法が異なる。
【００２０】
２１２，２１３はＪＰＥＧ、ＪＢＩＧモジュールであり、所定の規格に準拠した画像データの圧縮、伸張処理を実行する処理部である。
【００２１】
２１４はメモリ制御部であり、画像処理系の第１ＢＵＳ２１５，第２ＢＵＳ２１６及びコンピュータ系の第３ＢＵＳ２１７とそれぞれ接続し、メインメモリ（ＳＤＲＡＭ）２０６に対するデータの書き込み、読み出しのためのデータ転送制御を行う。
【００２２】
９０はＤＭＡコントローラ（ＤＭＡＣ）であり、メモリ制御部７０と協働して、ＲＯＭＩＳＡ９７を介してＲＯＭ９５と接続する。そして外部デバイスや種々のインタフェース部（１７０）、とメインメモリ１００との間のデータ授受に関し、ＤＭＡ制御するための所定のアドレス情報を生成、設定する。
【００２３】
２１８はＤＭＡコントローラ（ＤＭＡＣ）であり、メモリ制御部２１４と協働して、各画像処理部（２０１，２０５，２０８，２０９）とメインメモリ２０６との間のデータ授受に関し、ＤＭＡ制御するための所定のアドレス情報を生成、設定する。例えば、画像読み取りデバイスの種類、ＣＣＤ２０３、ＣＩＳ２０４の別に応じて、スキャナＩ／Ｆ部２０１で読み取り処理された画像データをメインメモリ２０６にＤＭＡ転送するためのアドレス情報をＤＭＡのチャンネルごとに生成する。または、メインメモリ２０６上に展開された画像データを読み出すためのアドレス情報をＤＭＡのチャンネルに応じて生成し、スキャナ画像処理部２０５にＤＭＡ転送する。メインメモリ２０６と、画像処理部とメインメモリ２０６間におけるＤＭＡ制御を、メモリ制御手段２１４と共に司るユニットとして機能する。
【００２４】
ＲＯＭ２１９には画像読み取りデバイス（ＣＣＤ２０３やＣＩＳ２０４）に応じて、適した制御パラメータ、制御プログラムデータが格納されており、制御パラメータ等を画像読み取りデバイスに応じて種々設定することができる。従って、ＣＣＤ２０３、ＣＩＳ２０４の個別のデータ出力形式に応じた画像データの入力処理が可能となるため、専用のインターフェイス回路を設ける必要がなくなる。
【００２５】
２１５は、メインメモリ２０６から読み出したデータを画像処理系の各処理部に送出することが可能な第１ＢＵＳであり、２１６は、画像処理系の各処理部から読み出したデータをメインメモリ２０６に送出することが可能な第２ＢＵＳである。第１，２ＢＵＳは対になって画像処理ブロックとメインメモリ２０６間の画像データの授受を行う。２１７は、ＣＰＵ２２０、通信及びユーザインタフェース制御部２２１、メカトロ系制御部２２２、画像処理部内部の制御レジスタ、及びＤＭＡＣ２２３が接続するコンピュータ系の第３ＢＵＳである。
【００２６】
メカトロ系制御部２２２にはモータ制御部２２４と、モータの駆動タイミングや、画像処理系の処理の同調を制御するためのタイミング制御を司る割り込みタイマー制御部２２５が含まれる。
【００２７】
ＬＣＤ制御部２２６は、画像処理装置の種々の設定、処理状況等をＬＣＤ２２７に表示するための表示制御を司るユニットである。
【００２８】
２２８、２２９は周辺機器との接続を可能にするＵＳＢインタフェース部であり、図２では、ＢＪ−プリンタ２３０が接続された状態を示している。
【００２９】
２３１はメディアアクセス制御（ＭＡＣ）部であり、接続する機器に対してデータをどのようなタイミングで送り出せばよいか（アクセス）等を制御するユニットである。
【００３０】
２２０はＣＰＵであり、Ｃｏｎｔｒｏｌｌｅｒ  Ｕｎｉｔ  ２００の全体的な動作を制御する。
【００３１】
スキャナＩ／Ｆ部２０１は、画像読み取りデバイスとして、ＣＣＤ２０３及びＣＩＳ２０４に対応可能であり、両画像読み取りデバイスの信号を入力処理する。ここで入力された画像データは、メモリ制御部２１４によりＤＭＡ転送されてメインメモリ２０６上に展開される。
【００３２】
図３は、図１に示す操作部１０５の一例について詳細に示した図である。
【００３３】
まず、操作部１０５は、タッチパネル部３０１とキー入力部３０２で構成される。
【００３４】
タッチパネル部３０１は、複写機１００が有する各機能を設定するための画面や、現在の設定状態、装置状態等を表示するインタフェースで、その表示方式は例えばＬＣＤであり、その入力方式はタッチパネルである。利用者は本タッチパネル部３０１に直接触れることで複写機を操作できる。
【００３５】
キー入力部３０２は、タッチパネル部３０１を補うためのインタフェースで、例えば利用者は、電源のオンやオフ、各機能の実行やキャンセル、数値入力や設定のクリアなどが行える。なお、本キー入力部３０２で可能な操作は、タッチパネル部３０１で同様のことが行えるものもあれば、そうでないものもある。
【００３６】
本発明における画像形成装置は、原稿サイズと複写倍率とに基づいて適正サイズの用紙を用紙カセットから自動的に選択する自動用紙選択機能（以降ＡＰＳと呼ぶ）を実行可能である。更に、原稿サイズと選択された用紙サイズとに基づいて適正な複写倍率を設定する自動変倍機能（以降ＡＭＳと呼ぶ）を実行可能である。
【００３７】
図４は、本実施例における複写機１００においてＡＰＳ又はＡＭＳを実行するにあたって、ＣＰＵ２２０によって実行される機能を模式的に示したブロック図である。
【００３８】
また、図５〜図１１は、本実施例における複写機１００のタッチパネル部３０１に表示される表示画面の例である。
【００３９】
図４において、４０１は表示手段であり、ＬＣＤ制御部２２６を利用してタッチパネル部３０１に表示される表示画面を制御する。
【００４０】
４０２は、ＡＰＳ登録手段であり、ＡＰＳが設定されている場合に、複数ある用紙カセットの中の何れのカセットをＡＰＳによる選択候補とするかを登録するための手段である。
【００４１】
図５は、ＡＰＳ登録手段を実行する際のタッチパネル部３０１の表示画面の例である。図５に示すように、本実施例における複写機１００は、手差し用紙カセット、及び用紙カセット１〜４を有している。ユーザは、各カセットについてＡＰＳが設定された場合に、その選択候補とする用紙カセットを「ＯＮ」「ＯＦＦ」の指定により登録することができる。図５では、用紙カセット１〜４は選択候補として登録され、手差し用紙カセットはＡＰＳ時の選択候補として登録されていない場合を示している。
【００４２】
４０３は、ＡＰＳ／ＡＭＳデフォルト設定手段であり、コピー機能を利用する際に、初期状態（デフォルト状態）としてＡＰＳ／ＡＭＳ何れかを有効として設定するための手段である。通常複写機では、ＡＰＳとＡＭＳを共に有効として設定することはできない。
【００４３】
図６は、コピー機能を利用する際の初期状態（図では標準モードとして記載されている）としてＡＰＳが設定される場合の表示画面を示す図である。図６において、ユーザが「はい」ボタンを押下することによって、コピー機能を利用する際の初期状態としてＡＰＳが有効に設定されることになる。
【００４４】
一方、図７は、コピー機能を利用する際の初期状態（図では標準モードとして記載されている）としてＡＭＳが設定される場合の表示画面を示す図である。図７において、ユーザが「はい」ボタンを押下することによって、コピー機能を利用する際の初期状態としてＡＭＳが有効に設定されることになる。
【００４５】
４０４は、コピー設定登録・表示制御手段であり、後述するＡＰＳ／ＡＭＳ自動判定手段４０８の判定結果に基づいて、コピー設定の登録やそのための表示及び現在の設定内容の表示を表示手段４０１に表示させる。
【００４６】
図８は、ＡＰＳが有効に設定されている場合のタッチパネル部３０１の表示画面を示す。
【００４７】
一方図９は、ＡＭＳが有効に設定されている場合のタッチパネル部３０１の表示画面を示す。
【００４８】
４０５は、ＡＰＳ選択無効手段であり、ＡＰＳ選択表示即ちＡＰＳを設定するための表示をグレイアウト若しくは削除してユーザによって選択不可とするための手段である。コピー機能を利用する際の初期状態としてＡＰＳが設定されている場合には、ＡＰＳ選択無効手段４０５は、この設定を解除する。そして、複数ある用紙カセットのうちの最も上段の用紙カセットを出力用紙カセットとしてＡＭＳを設定する。尚、選択される用紙カセットは最も上段でなくても構わない。
【００４９】
図１０は、ユーザがＡＰＳを設定するための指示を入力可能な状態を示したタッチパネル３０１の表示画面の例である。図１０において、ユーザが「自動用紙選択」ボタンを押下することによって、コピー機能を利用する上で、ＡＰＳが有効に設定される。
【００５０】
一方図１１は、ユーザがＡＰＳを設定するための指示を入力不可能な状態を示したタッチパネル３０１の表示画面の例である。図１１では、「自動用紙選択」ボタンがグレーアウトされ、ユーザが押下不可能になっている。
【００５１】
４０６は、ＡＰＳ／ＡＭＳデフォルト設定取得手段であり、前記ＡＰＳ／ＡＭＳデフォルト設定手段４０３でユーザによって設定されたデフォルト設定を取得するための手段である。ここで、ＡＭＳが設定されている場合には、デフォルト用紙カセットを指定する。
【００５２】
４０７は、ＡＰＳ登録情報取得手段であり、前記ＡＰＳ登録手段４０２でユーザによって設定された用紙カセット段及びそのカセットにある用紙サイズを取得するための手段である。
【００５３】
４０８は、ＡＰＳ／ＡＭＳ自動判定手段であり、前記ＡＰＳ登録情報取得手段４０７及びＡＰＳ／ＡＭＳデフォルト設定取得手段４０６によって取得された情報に基づいて、ＡＰＳ／ＡＭＳ何れを有効に設定するかを判定する手段である。また、判定の結果、ＡＭＳを有効に設定した場合には、前記ＡＰＳ選択無効手段４０５によりＡＰＳをユーザ選択不可にする。
【００５４】
図１２は、本実施例における複写機１００において、ＡＰＳ／ＡＭＳの何れを有効に設定するかを自動的に判定し設定する処理に関するフローチャートである。本フローチャートの各ステップは、複写機が備えるＣＰＵ２２０がメモリに記憶されるプログラムを実行することによって処理される。主に、ＣＰＵ２２０が前記ＡＰＳ／ＡＭＳ自動判定手段４０８の処理を実行する場合のフローチャートである。本フローチャートは、例えば複写機の電源が投入された時、又は再起動時、又はリセットボタン押下時に実行されるようにしてもよい。
【００５５】
先ず、ステップＳ１２０１において、ＣＰＵ２２０は、複写機１００が複数の用紙カセットを有しているかどうかを判定する。本実施例においては複写機１００は複数の用紙カセット１０６〜１０９を有しており、ステップＳ１２０２へと進む。一方、用紙カセットが一つしかない場合にはステップＳ１２０９に進む。
【００５６】
ステップＳ１２０２において、ＡＰＳ登録情報取得手段４０７は、ＡＰＳ登録手段４０２でユーザによって設定された用紙カセット段及びそのカセットにある用紙サイズを取得する。
【００５７】
ステップＳ１２０３において、ＡＰＳ／ＡＭＳ自動判定手段４０８は、ステップＳ１２０２において取得された、ＡＰＳの選択候補として設定された用紙カセットが複数あるか否かを判定する。複数ある場合にはステップＳ１２０４に進み、一つだけの場合にはステップＳ１２０９へと進む。
【００５８】
ステップＳ１２０４において、ＡＰＳ／ＡＭＳ自動判定手段４０８は、ステップＳ１２０２において取得された、用紙カセットに収容された用紙の用紙サイズを示す情報に基づいて、用紙サイズが複数種類あるか否かを判定する。複数種類ある場合にはステップＳ１２０５に進み、一種類の場合にはステップＳ１２０９へと進む。
【００５９】
ステップＳ１２０５において、ＡＰＳ／ＡＭＳデフォルト設定取得手段４０６は、前記ＡＰＳ／ＡＭＳデフォルト設定手段４０３でユーザによって設定されたデフォルト設定を取得する。具体的には、コピー機能を実行する際の初期設定（標準モード）としてＡＰＳが設定されているかＡＭＳが設定されているかという情報を取得する。
【００６０】
ステップＳ１２０６において、ＡＰＳ／ＡＭＳ自動判定手段４０８は、ステップＳ１２０５において取得された情報に基づいて、標準モードとしてＡＰＳが設定されているか否かを判定する。判定の結果、ＡＰＳが設定されている場合にはステップＳ１２０８へと進み、一方ＡＭＳが設定されている場合にはステップＳ１２０７へと進む。
【００６１】
ステップＳ１２０７において、コピー設定の登録・表示手段４０４は、標準モードとしてＡＭＳが設定されているのをＡＰＳの設定へと切り換える。この切り替えに関しては、ＡＰＳ／ＡＭＳデフォルト設定手段４０３によって、標準モードにおける設定自体を切り換えてもよいし、標準モードの設定に関しては切り換えなくてもよい。即ち、一時的にコピー機能を実行する際のモードをＡＰＳに切り換えるだけでもよい。ステップＳ１２０７において複写機１００の初期状態としてＡＰＳを有効に設定すると、ステップＳ１２０８へと進む。
【００６２】
ステップＳ１２０８において、コピー設定の登録・表示手段４０４は、ＡＰＳが設定されていることを示す画面（図８）を表示手段４０１に表示させる。
【００６３】
ステップＳ１２０９において、ＡＰＳ／ＡＭＳデフォルト設定取得手段４０６は、前記ＡＰＳ／ＡＭＳデフォルト設定手段４０３でユーザによって設定されたデフォルト設定を取得する。具体的には、コピー機能を実行する際の初期設定（標準モード）としてＡＰＳが設定されているかＡＭＳが設定されているかという情報を取得する。
【００６４】
ステップＳ１２１０において、ＡＰＳ／ＡＭＳ自動判定手段４０８は、ステップＳ１２０６において取得された情報に基づいて、標準モードとしてＡＰＳが設定されているか否かを判定する。判定の結果、ＡＰＳが設定されている場合にはステップＳ１２１１へと進み、一方ＡＭＳが設定されている場合にはステップＳ１２１２へと進む。
【００６５】
ステップＳ１２１１において、コピー設定の登録・表示手段４０４は、標準モードとしてＡＰＳが設定されているのをＡＭＳの設定へと切り換える。この切り替えに関しては、ＡＰＳ／ＡＭＳデフォルト設定手段４０３によって、標準モードにおける設定自体を切り換えてもよいし、標準モードの設定に関しては切り換えなくてもよい。即ち、一時的にコピー機能を実行する際のモードをＡＭＳに切り換えるだけでもよい。更にステップＳ１２１１において、ＡＰＳ選択無効手段４０５は、ＡＰＳがユーザによって選択させないよう制御する。具体的には、ＡＰＳ選択表示即ちＡＰＳを設定するための表示をグレイアウト若しくは削除してユーザによって選択不可とする。ステップＳ１２１１において複写機１００の初期状態としてＡＭＳを有効に設定し、ＡＰＳの選択不可能にすると、ステップＳ１２１２へと進む。
【００６６】
ステップＳ１２１２において、コピー設定の登録・表示手段４０４は、ＡＭＳが設定されていることを示す画面（図９）を表示手段４０１に表示させる。
【００６７】
以上説明したように、本発明では、コピー機能を実行する際の初期設定においてＡＭＳが設定されていたとしても、選択可能な用紙サイズが複数ある場合には自動的にＡＰＳが設定されることになる。一方、コピー機能を実行する際の初期設定においてＡＰＳが設定されていたとしても、選択可能な用紙サイズが一種類だけであった場合には自動的にＡＭＳが設定されることになる。これにより、選択可能な用紙サイズが一種類だけであるのにＡＰＳが設定されるような無駄な設定を防ぐことができる。また、そのためにユーザがいちいち設定変更を指示する必要もない。また、ＡＰＳの設定をユーザが指定できないようにするので、誤ってユーザが意味の無い設定をしてしまうことを防ぐことができる。
【００６８】
そして、選択可能な用紙サイズが複数ある場合にはユーザがいちいちＡＰＳの設定を指示しなくても自動的にＡＰＳの設定がされる。この点に関してもユーザの操作に対する利便性が向上する。
【００６９】
（他の実施例）
本発明は、複数の機器から構成されるシステムに適用しても、１つの機器からなる装置に適用してもよい。上述した実施形の機能を実現するソフトウエアのプログラムコードを記憶した記憶媒体等の媒体をシステム或いは装置に供給してもよい。そして、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００７０】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、又は磁気テープ、不揮発性のメモリカード、ＲＯＭ、或いはネットワークを介したダウンロードなどを用いることができる。
【００７１】
また、プログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００７２】
更に、記憶媒体等の媒体から読み出されたプログラムコードを、コンピュータに挿入された機能拡張ボードやコンピュータに接続された機能拡張ユニットに備わるメモリに書き込む。その後、そのプログラムコードの指示に基づき、その機能拡張ボードや機能拡張ユニットに備わるＣＰＵなどが実際の処理の一部または全部を行い、その処理によって上述した実施形の機能が実現される場合も、本発明に含まれることは言うまでもない。
【図面の簡単な説明】
【００７３】
【図１】本実施例における複写機の外観を示す図である。
【図２】本実施例における複写機の内部構成を示すブロック図である。
【図３】本実施例における複写機の操作部の図である。
【図４】本実施例における複写機において実行される機能を模式的に示したブロック図である。
【図５】ＡＰＳ登録手段を実行する際のタッチパネルの表示画面の例である。
【図６】コピー機能を利用する際の初期状態としてＡＰＳが設定される場合の表示画面を示す図である。
【図７】コピー機能を利用する際の初期状態としてＡＭＳが設定される場合の表示画面を示す図である。
【図８】ＡＰＳが有効に設定されている場合のタッチパネルの表示画面を示す図である。
【図９】ＡＭＳが有効に設定されている場合のタッチパネルの表示画面を示す図である。
【図１０】ユーザがＡＰＳを設定するための指示を入力可能な状態を示したタッチパネルの表示画面の例である。
【図１１】ユーザがＡＰＳを設定するための指示を入力不可能な状態を示したタッチパネルの表示画面の例である。
【図１２】本実施例における複写機において実行される処理に関するフローチャートである。
【符号の説明】
【００７４】
１００  複写機
１０１  スキャナ部
１０２  プリンタ部
１０３  原稿フィーダ
１０４  トレイ
１０５  操作部
１０６〜１０９  用紙カセット
１１０  排紙トレイ
【図１】
0004498266.tif 000002
【図２】
0004498266.tif 000003
【図３】
0004498266.tif 000004
【図４】
0004498266.tif 000005
【図５】
0004498266.tif 000006
【図６】
0004498266.tif 000007
【図７】
0004498266.tif 000008
【図８】
0004498266.tif 000009
【図９】
0004498266.tif 000010
【図１０】
0004498266.tif 000011
【図１１】
0004498266.tif 000012
【図１２】
0004498266.tif 000013